(57)【特許請求の範囲】
【請求項１】
胴部内に導通状態と導通遮断状態とを切り替える接点切替機構が収容され、シーソー部材の揺動によって導通状態と導通遮断状態とを切り替えるスイッチ本体と、
前記スイッチ本体の取り付け穴と当該取り付け穴の側方に位置する案内溝とを有する天板と、当該天板に連設された胴部とを備え、前記スイッチ本体の外側に配置される外枠部材と、
導通状態時に押し下げられた前記シーソー部材の端部に係合する係合部と、当該係合部に連設されて前記外枠部材に対して前記スイッチ本体が挿入される方向に延び、前記案内溝内に配置される脚部と、当該脚部に設けられ、前記外枠部材の前記胴部に摺動可能に係合する爪部を備え、前記外枠部材に対して摺動可能に装着される係合部材と、
を、備えたことを特徴とするスイッチ構造。
【請求項２】
前記シーソー部材に対する前記係合部材の係合状態を検知する検知手段を備えたことを特徴とする請求項１に記載のスイッチ構造。
【請求項３】
内部に基板が配置される筐体に請求項１又は２に記載のスイッチ構造を備えた電子機器。
【請求項４】
内部に基板が配置される筐体に設けた取り付け穴に前記外枠部材が嵌め込まれた請求項１又は２に記載のスイッチ構造を備えた電子機器。
【請求項５】
筐体に請求項２記載のスイッチ構造を備えると共に、前記筐体に前記検知手段の検知結果に関する情報を表示する表示部を設けたことを特徴とする電子機器。
【発明の詳細な説明】
【技術分野】
【０００１】
本発明は、スイッチ構造及びこれを備えた電子機器に関する。
【背景技術】
【０００２】
従来、電子機器が作動中であることを示す信号を受けた制御部がアクチュエータを作動させてロッドを変位させ、電源スイッチと係合させる電源スイッチ誤操作防止装置が知られている。これは、パーソナルコンピュータ等の電子機器の作動中に電源が断たれることを防止することを課題としている（特許文献１参照）。
【０００３】
【特許文献１】特開平９−６３３９５号公報
【発明の開示】
【発明が解決しようとする課題】
【０００４】
しかしながら、前記従来の電源スイッチ誤操作防止装置は、ロッドを作動させるためのアクチュエータを備えている。このため、装置が大掛かりなものとなっている。また、アクチュエータを装着するためには電子機器内に装着スペースを確保しなければならない。このような事情から、前記従来の電源スイッチ誤操作防止装置は、電子機器への搭載が困難である場合が想定される。特に、後付けにて電子機器に搭載しようとすると、非常に手間がかかる。
【０００５】
本発明は、上記問題に鑑みてなされたものであり、その目的は、スイッチの誤操作を防止することができ、電子機器に容易に搭載することができる簡易なスイッチ構造を提供することにある。
【課題を解決するための手段】
【０００６】
上記課題を解決するために、本明細書開示のスイッチ構造は、シーソー部材の揺動によって導通状態と導通遮断状態とを切り替えるスイッチ本体と、前記スイッチ本体の外側に配置される外枠部材と、当該外枠部材に対して摺動可能に装着されるとともに、導通状態時の前記シーソー部材に係合する係合部材と、を備えている。
【０００７】
係合部材は外枠部材に装着されることにより、両者は一体となる。そして外枠部材はスイッチ本体と一体となる。本明細書開示のスイッチ構造は、このような簡易な構造を有している。外枠部材とスイッチ本体とは、嵌合や接着等、従来公知の手段によって一体とすることができる。一体とされた外枠部材とスイッチ本体とは、電子機器が有する筐体等の装着箇所に形成されたスイッチ用の取り付け穴に嵌め込む。その後、ビス止め等を施してもよいが、嵌め込んで嵌合させるだけでも容易に装着することができる。本明細書開示のスイッチ構造は、このように電子機器に容易に搭載することができる。
【０００８】
係合部材は、外枠部材に対して摺動可能に装着される。シーソー部材は、導通状態となったときに下がった状態となる端部を有する。係合部材は、導通状態時に下がった状態となっている端部の上側に重なるように移動する。これによりシーソー部材の導通状態から導通遮断状態への動作を拘束することができる。この結果、スイッチの誤操作による電源の遮断を防止することができる。
【発明の効果】
【０００９】
本明細書開示のスイッチ構造は、外枠部材に対して摺動する係合部材を備えた簡易な構造によってスイッチの誤操作を防止することができる。また、電子機器への搭載も容易に行うことができる。
【発明を実施するための最良の形態】
【００１０】
以下、本発明の最良の実施形態について、添付図面を参照しつつ説明する。
【実施例】
【００１１】
図１は、スイッチ構造１の拡散分解図である。スイッチ構造１は、スイッチ本体２、外枠部材３、係合部材４を備えている。
【００１２】
図２は、スイッチ本体２の概略構成を示す図であり、図２（ａ）は平面図、図２（ｂ）は正面図、図２（ｃ）は右側面図、図２（ｄ）は左側面図である。スイッチ本体２は、シーソー部材２ａ、胴部２ｂ、天板２ｃを有している。シーソー部材２ａは、胴部２ｂ内に収容された軸（図示せず）に軸支され、揺動自在とされている。スイッチ本体２は、このシーソー部材２ａの揺動によって導通状態と導通遮断状態とを切り替えることができる。胴部２ｂ内には、導通状態と導通遮断状態とを切り替える接点切替機構が収容されている。シーソー部材２ａの端部２ａ１が下側に移動すると導通状態となる。また、スイッチ本体２は、胴部２ｂの側壁に湾曲形状の腕部２ｂ１を有している。この腕部２ｂ１は、板金加工によって形成されている。
【００１３】
図３は、外枠部材３の概略構成を示す図であり、図３（ａ）は平面図、図３（ｂ）は正面図、図３（ｃ）は右側面図、図３（ｄ）は左側面図である。また、図４は、図３（ｂ）におけるＡ−Ａ線断面図である。また、図５は、図３（ｂ）におけるＢ−Ｂ線断面図である。外枠部材３は、胴部３ａ、天板３ｂを有している。胴部３ａは天板３ｂに連設されている。天板３ｂには、スイッチ本体２用の取り付け穴３ｂ１が形成されている。また、取り付け穴３ｂ１の両側には、係合部材４の案内溝３ｂ２が形成されている。片側の案内溝３ｂ２の端部には接点５が取り付けられている。接点５にはリード線５ａが取り付けられている。また、天板３ｂには、摺動する係合部材４の位置決めのための凹部３ｂ３１、３ｂ３２がそれぞれ２箇所ずつ形成されている。凹部３ｂ３１は、係合部材４がシーソー部材２ａの揺動を許容するときの位置決めとなるものである。凹部３ｂ３２は、係合部材４がシーソー部材２ａの揺動を拘束するときの位置決めとなるものである。
【００１４】
図６は、係合部材４の概略構成を示す図であり、図６（ａ）は平面図、図６（ｂ）は正面図、図６（ｃ）は右側面図、図６（ｄ）は左側面図である。係合部材４は、シーソー部材２ａの端部２ａ１と重なる係合部４aを備えている。また、この係合部４ａの両側に連結部４ｂを介して、図面中、下方へ延びる脚部４ｃが連設されている。また、この脚部４ｃの先端には、外側に向かって突出した爪部４ｃ１が形成されている。連結部４ｂの脚部４ｃ側の端部には、案内溝３ｂ２に取り付けた接点５と接触可能な位置に接点６が取り付けられている。接点６にはリード線６ａが取り付けられている。接点５と接点６は、その接触状態により、シーソー部材２ａに対する係合部材４の係合状態を検知することができる。すなわち、接点５と接点６とは検知手段の一例である。また、係合部４ａの下面側には、外枠部材３の天板３ｂに設けた凹部３ｂ３１又は３ｂ３２に合致する凸部４ａ１が２箇所に設けられている。
【００１５】
以上のようなスイッチ本体２、外枠部材３、係合部材４は、図７に示すように組み立てられる。まず、スイッチ本体２と外枠部材３との組み立てについて説明する。スイッチ本体２は、外枠部材３の天板３ｂに形成された取り付け穴３ｂ１に嵌め込まれる。この結果、外枠部材３がスイッチ本体２の外側に配置される。このとき、腕部２ｂ１を変形させつつ、胴部２ｂが取り付け穴３ｂ１に押し込まれる。腕部２ｂ１は、取り付け穴３ｂ１を通過するとその弾性によって元の形状に復帰する。元の形状に復帰した腕部２ｂ１の先端は、外枠部材３の天板３ｂの天井面に接触する。このとき、スイッチ本体２の天板２ｃは、天板３ｂの上側に載置された状態となる。これにより、外枠部材３の天板３ｂは、スイッチ本体２の天板２ｃと腕部２ｂ１とによって挟持される。この結果、両者は、ビス等を用いることなく一体となる。
【００１６】
次に、外枠部材と係合部材３との組み立てについて説明する。まず、両脚部４ｃは、その間隔を狭めて保持される。間隔を狭めて保持された両脚部４ｃは、天板３ｂの上側からそれぞれ案内溝３ｂ２へ挿入される。そして、爪部４ｃ１が胴部３ａの下縁まで到達したら両脚部４ｃを弾性によって元の形状に復帰させる。この結果、爪部４ｃ１が胴部３ａの下縁に係止される。これにより係合部材４は、外枠部材３に対し摺動自在に装着される。ここで、係合部材４の移動可能範囲は案内溝３ｂ２の長さの範囲内で決定される。係合部材４は、シーソー部材２ａの端部２ａ１に対する係合と解除とを実現することができる範囲で移動することができればよい。本明細書開示のスイッチ構造１における係合部材４の移動範囲は、天板３ｂから突出することがない範囲に納められている。このため、係合部材４がどの位置にあっても邪魔になることがない。また、スイッチ構造１を電子機器等に取り付ける際に、係合部材４が取り付けの妨げとなることがない。すなわち、係合部材４の移動範囲が、スイッチ構造１を電子機器等の対象物に取り付けの際の制約となることがない。
【００１７】
以上のように外枠部材３にスイッチ本体２及び係合部材４を装着することによりスイッチ構造１の組み立てが完了する。なお、外枠部材３に対するスイッチ本体２、係合部材４の取り付けの順序は問わない。図７は、組み上がった状態のスイッチ構造１の斜視図である。また、図８は、組み上がった状態で、外枠部材３をＢ−Ｂ線で断面とした状態のスイッチ構造１の斜視説明図である。
【００１８】
次に、スイッチ構造１の動作につき、図９、図１０を参照しつつ説明する。図９は、係合部材４のシーソー部材２ａに対する係合が解除された状態のスイッチ構造１の説明図である。図９において、外枠部材３は、説明のため、図３（ｂ）におけるＡ−Ａ線で断面とした状態とされている。図１０は、係合部材４がシーソー部材２ａに係合した状態のスイッチ構造１の説明図である。図１０において、外枠部材３は、図９と同様に、図３（ｂ）におけるＡ−Ａ線で断面とした状態とされている。図９に示した状態のとき、シーソー部材２ａの揺動は拘束されていない。このため、スイッチ本体２の導通状態と導通遮断状態との間の切り替えは図９に示した状態で行われる。このとき、係合部材４の係合部４ａに設けた凸部４ａ１は、凹部３ａ３１に合致した状態となっている。このため、係合部材４が、動いてしまうことがない。また、接点５と接点６とは離間した状態となっている。この接点５と接点６とが離間していることを検知することによって、係合部材４のシーソー部材２ａへの係合が解除されていることを確認することができる。
【００１９】
図９に示したようにシーソー部材２ａの揺動を拘束しない状態でシーソー部材２ａの端部２ａ１を押し下げて導通状態とした後、係合部材４を移動させる。これにより、図１０に示したように係合部４ａが端部２ａ１の上側に重なるように移動する。そして、シーソー部材２ａの揺動は拘束される。すなわち、スイッチ本体２は、シーソー部材２ａの導通状態から導通遮断状態への動作を拘束される。このとき、係合部材４の係合部４ａに設けた凸部４ａ１は、凹部３ａ３２に合致した状態となっている。このため、係合部材４は、動いてしまうことがない。また、接点５と接点６とは接触した状態となっている。この接点５と接点６との接触を検知することによって、係合部材４がシーソー部材２ａへ係合していることを確認することができる。係合部材４がシーソー部材２ａへ係合していれば、シーソー部材２ａを操作することはできない。これにより、スイッチ本体２の導通状態から導通遮断状態への誤操作を回避することができる。
【００２０】
以上説明したスイッチ構造１は、種々の電子機器に用いることができる。ここでは、電子機器の一例であるパーソナルコンピュータ５０に装着した例について説明する。
【００２１】
図１１は、パーソナルコンピュータ５０の前面側を表した正面図である。パーソナルコンピュータ５０は、筐体５１を有している。筐体５１には、スイッチ構造１が装着されている。図１２は、スイッチ構造１を筐体５１に取り付ける様子を示した説明図である。筐体５１の前面側には取り付け穴５１ａが設けられている。この取り付け穴５１ａに対しスイッチ構造１を押し込み、嵌め込めば、容易にスイッチ構造１を筐体５１に装着することができる。外枠部材３の胴部３ａと取り付け穴５１ａの内壁との摩擦によりスイッチ構造１が筐体５１から脱落することはない。
【００２２】
筐体５１の前面側には、防塵フィルタが装着されている。また、表示部５３が装着されている。表示部５３は、係合部材４のシーソー部材２ａへの係合状態についての検知結果（係合ステータス）に関する情報を表示する。具体的には、係合部材４がシーソー部材２ａに係合しているときに緑色のランプを点灯させる。すなわち、接点５と接点６とが接触しているときは、表示部５３は、緑色のランプを点灯させる。一方、係合部材２ａのシーソー部材２ａ１への係合が解除されているときに赤色のランプを点灯させる。すなわち、接点５と接点６とが離間しているときは、表示部５３は、赤色のランプを点灯させる。
【００２３】
筐体５１の前面側には、電源ランプ５４、ディスクアクセスランプ５５、ハードウェア異常検出ランプ５６、スタンバイランプ５７が装着されている。電源ランプ５４は、パーソナルコンピュータ５０の電源の状態を示すもので、緑色のランプが点灯しているときは電源が入っていることを示している。一方、橙色のランプが点灯しているときは省電力状態となっていることを示している。ディスクアクセスランプ５５は、筐体５１の内部に収容されるハードディスクにデータを書き込んだり、ハードディスクからデータを読み出したりしているときに点灯する。ハードウェア異常検出ランプはハードウェアの異常を検出したときに点灯する。スタンバイランプ５７は、パーソナルコンピュータ５０がスタンバイ状態にあるときに点灯する。
【００２４】
筐体５１には、Compact Disk Read Only Memory（ＣＤ−ＲＯＭ）ドライブ５８が装着されている。ＣＤ−ＲＯＭドライブ５８はディスク取り出しボタン５９を有している。また、筐体５１には、フレキシブルディスクドライブ６０が装着されている。フレキシブルディスクドライブ６０はフレキシブルディスク取り出しボタン６１を有している。
【００２５】
図１３は、パーソナルコンピュータ５０の内部構成の一部を示したブロック図である。筐体５１の内部には、電源の導通と導通遮断とを制御する制御部１０１が収容されている。この制御部１０１は、スイッチ構造１と接続されている。制御部１０１とスイッチ構造１とは、電源の導通と遮断を切り替えるための接続と、リード線５ａ，６ａによる接続とがなされている。また、制御部１０１は、電子部品が搭載された基板であるメインボード１０２と接続され、さらに、電源ユニット１０３と接続されている。また、制御部１０１には、表示部５３が接続されている。このような制御部１０１が電源投入時に行う処理について説明する。
【００２６】
パーソナルコンピュータ５０の使用者がシーソー部材２ａを操作してスイッチ本体２を導通状態とする。これにより、制御部１０１は、図１３中、参照符号（１）で示すようにスイッチ本体２が導通状態となったとのスイッチステータスを取得する。スイッチステータスを取得した制御部１０１は、参照符号（２）で示すように、メインボード１０２に対し電源投入予告信号を発する。電源投入予告信号を受け取ったメインボード１０２は、参照符号（３）で示すように電源投入信号に対する応答信号を発する。制御部１０１は、この応答信号を取得する。その後、制御部１０１は参照符号（４）で示すように電源ユニット１０３に対し電源投入信号を発する。そして、電源ユニット１０３から電源投入が開始される。電源投入が完了した後、電源ユニット１０３は参照符号（５）で示すように電源投入完了信号を発する。制御部１０１は、この電源投入完了信号を取得する。電源投入が完了すると電源ランプ５４が点灯する。
【００２７】
制御部１０１は、電源投入に関する信号の授受とは別に、参照符号（Ａ）で示すように係合部材４のシーソー部材２ａに対する係合状態に関する係合ステータスを取得する。係合ステータスは表示部５３に表示される。
【００２８】
電源投入が完了し、電源ランプが点灯しているにもかかわらず、係合部材４がシーソー部材２ａに対し係合状態となっていないときは、表示部５３に赤色のランプが点灯する。赤色のランプの点灯は、係合部材４を係合状態とさせるための警告となる。使用者が係合部材４を操作し、係合部材４がシーソー部材２ａに係合されると、シーソー部材２ａの揺動が拘束される。筐体５１の前面側には、ディスク取り出しボタン５９やフレキシブルディスク取り出しボタン６１が配置されている。このため、使用者がこれらのボタンを操作しようとしたときに、誤ってスイッチ本体２に触れてしまうことが想定される。然しながら、係合部材４がシーソー部材２ａに係合していることによりシーソー部材２ａの揺動、すなわち、導通状態から導通遮断状態への動作は拘束されている。これにより、スイッチ本体２の誤操作を防止することができる。係合部材４がシーソー部材２ａに係合されると接点５と接点６とが接触した状態となる。これに伴って表示部５３は緑色のランプの点灯に切り替わる。なお、表示部５３における赤色のランプの点灯とともに警告音を発するようにしてもよい。
【００２９】
次に、電源を遮断するときの動作について説明する。本実施例のパーソナルコンピュータ５０は、係合部材４のシーソー部材２ａに対する係合が解除された時点で電源を安全に遮断するための動作が開始される。すなわち、制御部１０１は、係合部材４が操作され、接点５と接点６とが離間すると、参照符号（２）で示すように、メインボード１０２に対し電源遮断予告信号を発する。電源遮断予告信号を受け取ったメインボード１０２は、参照符号（３）で示すように電源遮断信号に対する応答信号を発する。制御部１０１は、この応答信号を取得する。その後、制御部１０１は参照符号（４）で示すように電源ユニット１０３に対し電源遮断信号を発する。そして、電源ユニット１０３からの電源供給が遮断される。電源遮断が完了した後、電源ユニット１０３は参照符号（５）で示すように電源遮断完了信号を発する。制御部１０１は、この電源遮断完了信号を取得する。電源遮断が完了すると電源ランプ５４が消灯する。
【００３０】
以上、説明した電源を遮断するときの処理は、以下の思想に基づく。すなわち、係合部材４の係合を解除するときは、使用者が電源を遮断するとの意思の基に係合部材４を操作しているとの思想に基づいている。これにより、誤操作による突然の電源遮断を回避し、また、迅速な電源遮断を行うことができる。
【００３１】
以上説明したように、本明細書開示のスイッチ構造１によれば、簡易でコンパクトな構造でスイッチの誤操作を防止することができる。また、スイッチ構造１は、取り付け穴５１ａに嵌め込むだけで装着することができるので容易に電子機器等に搭載することができる。
【００３２】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００３３】
【図１】図１は、スイッチ構造の拡散分解図である。
【図２】図２は、スイッチ本体の概略構成を示す図であり、図２（ａ）は平面図、図２（ｂ）は正面図、図２（ｃ）は右側面図、図２（ｄ）は左側面図である。
【図３】図３は、外枠部材の概略構成を示す図であり、図３（ａ）は平面図、図３（ｂ）は正面図、図３（ｃ）は右側面図、図３（ｄ）は左側面図である。
【図４】図４は、外枠部材の図３（ｂ）におけるＡ−Ａ線断面図である。
【図５】図５は、外枠部材の図３（ｂ）におけるＢ−Ｂ線断面図である。
【図６】図６は、係合部材の概略構成を示す図であり、図６（ａ）は平面図、図６（ｂ）は正面図、図６（ｃ）は右側面図、図６（ｄ）は左側面図である。
【図７】図７は、組み上がった状態のスイッチ構造の斜視図である。
【図８】図８は、組み上がった状態で、外枠部材を図３（ｂ）におけるＢ−Ｂ線で断面とした状態のスイッチ構造の斜視説明図である。
【図９】図９は、係合部材のシーソー部材に対する係合が解除された状態のスイッチ構造の説明図である。
【図１０】図１０は、係合部材がシーソー部材に係合した状態のスイッチ構造の説明図である。
【図１１】図１１は、パーソナルコンピュータの前面側を表した正面図である。
【図１２】図１２は、スイッチ構造を筐体に取り付ける様子を示した説明図である。
【図１３】図１３は、パーソナルコンピュータの内部構成の一部を示したブロック図である。
【符号の説明】
【００３４】
１…スイッチ構造                ２…スイッチ本体
２ａ…シーソー部材              ２ａ１…端部
２ｂ…胴部                      ２ｂ１…腕部
２ｃ…天板                      ３…外枠部材
３ａ…胴部                      ３ｂ…天板
３ｂ１…取り付け穴              ３ｂ２…案内溝
４…係合部材                    ４ａ…係合部
４ｂ…連結部                    ４ｃ…脚部
４ｃ１…爪部                    ５，６…接点
５ａ，６ａ…リード線            ５０…パーソナルコンピュータ
５１…筐体                      ５１ａ…取り付け穴
５３…表示部                    １０１…制御部
１０２…メインボード            １０３…電源ユニット
【図１】
0005195035.tif 000002
【図２】
0005195035.tif 000003
【図３】
0005195035.tif 000004
【図４】
0005195035.tif 000005
【図５】
0005195035.tif 000006
【図６】
0005195035.tif 000007
【図７】
0005195035.tif 000008
【図８】
0005195035.tif 000009
【図９】
0005195035.tif 000010
【図１０】
0005195035.tif 000011
【図１１】
0005195035.tif 000012
【図１２】
0005195035.tif 000013
【図１３】
0005195035.tif 000014